(57)【要約】【課題】製造コストを削減しつつ、厚み寸法を大きくすることなく立体感を出し、外観を向上できる文字板、及び文字板を備える時計を提供すること。【解決手段】文字板４は、第１、第２金属板４Ａ，４Ｂが積層されて構成される。第１、第２金属板には、第１、第２開口４４０，４５０がそれぞれ形成され、第１、第２開口４４０，４５０を区画形成する第１、第２開口周縁部４４，４５には、文字板４の表面側に露出するようにプレス面押し加工により第１、第２傾斜面４４１，４５１がそれぞれ形成される。【選択図】図３
2011137686.tif 000002
【特許請求の範囲】
【請求項１】
複数の金属板が積層されて構成され、
前記複数の金属板には、開口がそれぞれ形成され、
前記各開口を区画する開口周縁部には、当該文字板の表面側に露出するようにプレス面押し加工により傾斜面がそれぞれ形成される
ことを特徴とする文字板。
【請求項２】
請求項１に記載の文字板において、
前記金属板は、第１金属板及び第２金属板の２枚で構成され、
当該文字板の厚み方向において、前記第１金属板が下層側、前記第２金属板が上層側に積層され、
前記第１、第２金属板には、前記各開口を区画形成する第１、第２開口周縁部が形成され、
前記第１、第２開口周縁部には、当該文字板の表面側に露出する第１、第２傾斜面がそれぞれ形成され、
前記第２傾斜面の前記第１金属板側の下端縁は、当該文字板の平面視において、前記第１傾斜面の上端縁及び下端縁の間に位置している
ことを特徴とする文字板。
【請求項３】
請求項１に記載の文字板において、
前記金属板は、第１金属板及び第２金属板の２枚で構成され、
当該文字板の厚み方向において、前記第１金属板が下層側、前記第２金属板が上層側となるように積層され、
前記第１、第２金属板には、前記各開口を区画形成する第１、第２開口周縁部が形成され、
前記第１、第２開口周縁部には、当該文字板の表面側に露出する第１、第２傾斜面がそれぞれ形成され、
前記第２傾斜面の前記第１金属板側の下端縁は、当該文字板の平面視において、前記第１傾斜面の前記第２金属板側の上端縁よりも前記第１開口の外部側に位置している
ことを特徴とする文字板。
【請求項４】
請求項１に記載の文字板において、
前記金属板は、第１金属板及び第２金属板の２枚で構成され、
前記文字板の厚み方向において、前記第１金属板が下層側、前記第２金属板が上層側となるように積層され、
前記第１、第２金属板には、前記各開口を区画形成する第１、第２開口周縁部が形成され、
前記第１、第２開口周縁部には、当該文字板の表面側に露出する第１、第２傾斜面がそれぞれ形成され、
前記第２傾斜面の前記第１金属板側の下端縁は、当該文字板の平面視において、前記第１傾斜面の前記第２金属板側の上端縁と重なっている
ことを特徴とする文字板。
【請求項５】
請求項２から請求項４のいずれかに記載の文字板において、
前記第１金属板には、前記第１開口を分割する仕切部が設けられ、
前記第１金属板の第１開口周縁部は、前記仕切部を含んで構成されている
ことを特徴とする文字板。
【請求項６】
請求項１から請求項５のいずれかに記載の文字板と、
前記文字板の裏面側に配置されて計時情報を表示する表示板とを備え、
前記文字板には、前記表示板の計時情報を表示させる前記開口が形成される
ことを特徴とする時計。
【発明の詳細な説明】
【技術分野】
【０００１】
本発明は、文字板、及び文字板を備えた時計に係り、特に文字板の日窓の構造に関する。
【背景技術】
【０００２】
従来、回転する日車により、当該日車上の数字等で日付を表示する日付表示機能付きの時計が知られている（例えば、特許文献１、２参照）。この時計は、日付を表示する日車と、日車の日付を表示させる開口（日窓）が形成された文字板とを備える。そして、これらの時計においては、開口の周縁に傾斜面を設けることで、開口（日窓）を大きく際立たせ、時計の厚み方向の立体感を出すことで外観を向上させたものがある。
【０００３】
特許文献１に記載の時計は、表示板（文字板）の開口に金属製の窓枠を取り付けている。この窓枠の開口周縁には、傾斜面が形成されている。
特許文献２に記載の時計は、文字板の開口にプラスチック製の窓枠を取り付けている。この窓枠の開口周縁には、上記特許文献１と同様に傾斜面が形成されている。
【先行技術文献】
【特許文献】
【０００４】
【特許文献１】特開２００８−２４１３３２号公報
【特許文献２】特開２００１−２３５５５６号公報
【発明の概要】
【発明が解決しようとする課題】
【０００５】
しかしながら、特許文献１、２に記載の時計は、文字板の開口に対して、窓枠を別途取り付ける必要があり、文字板を製造する工程が増える。また、窓枠の厚み寸法は、文字板の厚み寸法よりも厚いため、窓枠を取り付けた場合、窓枠を取り付けない場合に比べて、時計の厚み寸法が大きくなる。
【０００６】
そこで、窓枠を別途設けることなく、開口を有する金属製の文字板に直接、傾斜面を切削加工やプレス加工で形成することが考えられる。ところが、切削加工により加工する場合には、工数が多く、製造コストがかかる。
一方、プレスによる面押し加工により傾斜面を形成する場合には、工数が少なくなり、コストを削減できる。しかし、文字板に傾斜面を面押しして形成する際、プレス加工の特性上、傾斜面の面積を大きくすることができない。このため、時計の厚み方向における立体感が乏しく、外観をあまり向上することができない。
【０００７】
本発明の目的は、製造コストを削減しつつ、厚み寸法を大きくすることなく立体感を出し、外観を向上できる文字板、及び文字板を備えた時計を提供することにある。
【課題を解決するための手段】
【０００８】
本発明の文字板は、複数の金属板が積層されて構成され、前記複数の金属板には、開口がそれぞれ形成され、前記各開口を区画する開口周縁部には、当該文字板の表面側に露出するようにプレス面押し加工により傾斜面がそれぞれ形成されることを特徴とする。
【０００９】
ここで、各開口周縁部に形成される各傾斜面は、文字板の表面から裏面に向かうにしたがって、前記開口の中心側に近づく方向に傾斜して、文字板の表面側に露出している。
本発明は、複数の金属板を積層して文字板を構成している。そして、金属板であれば、金属板の開口周縁部に形成される傾斜面をプレス面押し加工、すなわちプレスによる面押し加工で形成することができる。例えば、開口を有する金属板に面押しパンチを押し付けて開口周縁部に傾斜面を面押し加工した後、仕上げ孔抜きパンチにより開口の内周面を仕上げることで、開口周縁部に傾斜面が形成された開口が形成される。
また、文字板の裏面側に配置された金属板の開口面積に比べて、表面側に配置された金属板の開口面積が大きくなるように設定することなどで、各金属板に形成した傾斜面を文字板の表面側に露出させ、表面側から各傾斜面を視認できるように構成している。このため、各金属板に形成できる傾斜面の面積が小さくても、複数の金属板に形成される傾斜面全体では大きな面積とすることができる。
さらに、複数の金属板を積層して文字板を構成しているので、時計の厚み方向の奥行きの立体感を出すことができる。
従って、傾斜面の面積を大きくしつつ、時計の厚み方向の奥行きの立体感を出すことで、外観を向上でき、さらに、文字板に金属板を用いているので、より外観を向上できる。
その上、傾斜面をプレスの面押し加工で形成できるため、切削加工により傾斜面を形成する場合に比べて、工数を少なくでき、かつ、製造コストも削減できる。
さらに、文字板に直接、傾斜面を形成しているので、別部材の窓枠を取り付ける場合に比べて、文字板の製造工数を少なくできるとともに、厚さ寸法も小さくでき、外観も向上できる。
【００１０】
本発明の文字板において、前記金属板は、第１金属板及び第２金属板の２枚で構成され、当該文字板の厚み方向において、前記第１金属板が下層側、前記第２金属板が上層側に積層され、前記第１、第２金属板には、前記各開口を区画形成する第１、第２開口周縁部が形成され、前記第１、第２開口周縁部には、当該文字板の表面側に露出する第１、第２傾斜面がそれぞれ形成され、前記第２傾斜面の前記第１金属板側の下端縁は、当該文字板の平面視において、前記第１傾斜面の上端縁及び下端縁の間に位置していることが好ましい。
【００１１】
本発明では、第１、第２金属板の第１、第２開口周縁部には、第１、第２傾斜面が形成され、第２傾斜面の第１金属板側の下端縁は、文字板の平面視において、第１傾斜面の上端縁（第２金属板側の端縁）及び下端縁（文字板裏面側の端縁）の間に位置している。すなわち、文字板の平面視において、第１傾斜面の上端縁側の一部分は第２傾斜面で覆われて視認できないが、第１傾斜面の残りの部分と第２傾斜面は外部から視認されることとなる。従って、本発明によれば、第２傾斜面に加えて、第１傾斜面の一部が外部から視認されるので、傾斜面をより大きく見せることができる。さらに、２枚の金属板を積層して文字板を構成しているので、時計の厚み方向の立体感が出すことができる。これによれば、傾斜面の面積を大きくしつつ、時計の厚み方向の奥行きの立体感を出すことで、外観を向上できる。
【００１２】
また、本発明では、文字板の平面視において、第１金属板の傾斜面の一部（上端縁側）を第２金属板で積極的に隠しているため、第１、第２金属板を積層する際に、多少ずれが生じた場合でも、第１金属板の表面（第１傾斜面の上端縁に連続する上面）が外部に露出することを防止できる。このため、第１金属板の表面が、第２金属板の第２開口周縁部から周方向に沿って不均一に露出してしまった場合に比べて、外観の低下を抑えることができる。
すなわち、第１金属板の傾斜面の上端縁と、第２金属板の傾斜面の下端縁とを上下に重ねて文字板の平面視で一致させ配置することもできる。しかし、このように構成した場合、各金属板の位置に僅かでもずれが生じると、第２金属板の第２開口周縁部の一部において、第２金属板に対向する第１金属板の表面が露出する。このように、第１金属板の表面が、第２金属板の第２開口周縁部から周方向に沿って不均一に露出すると、外部から視認される第１金属板の表面と視認されない第１金属板の表面とが混在するので、外部からずれが目立ち易く、文字板開口の外観を損ねてしまう。
これに対し、本発明では、第１金属板の傾斜面の一部（上端縁側）を第２金属板で積極的に隠しているため、第１、第２金属板がずれて積層されても、第１金属板の表面が外部に露出することを防止でき、外観の低下を抑えることができる。
その上、本発明では、第１、第２金属板が多少ずれて積層された場合、第２開口から視認される第１傾斜面の面積が第２開口の周方向に沿って不均一となる程度である。すなわち、各金属板が多少ずれて積層された場合でも、外部から視認される第１傾斜面の面積に対して、ずれによって生じる第１傾斜面の外部から視認される面積の変化量は小さいので、第１傾斜面の不均一については、外部から目立ちにくく、外観の低下を抑えることができる。
なお、第２傾斜面の第１金属板側の下端縁は、文字板の平面視において、第１、第２金属板を積層する際に生じるずれによる第１金属板の表面（上面）の外部への露出が防止できる範囲で、第１傾斜面の上端縁に近い位置であることが好ましい。これによれば、外部から視認される第１傾斜面の面積をより大きく見せつつ、時計の厚み方向の立体感をより出すことができ、外観を向上できる。
【００１３】
本発明の文字板において、前記金属板は、第１金属板及び第２金属板の２枚で構成され、当該文字板の厚み方向において、前記第１金属板が下層側、前記第２金属板が上層側となるように積層され、前記第１、第２金属板には、前記各開口を区画形成する第１、第２開口周縁部が形成され、前記第１、第２開口周縁部には、当該文字板の表面側に露出する第１、第２傾斜面がそれぞれ形成され、前記第２傾斜面の前記第１金属板側の下端縁は、当該文字板の平面視において、前記第１傾斜面の前記第２金属板側の上端縁よりも前記第１開口の外部側に位置していることが好ましい。
【００１４】
本発明では、２枚の第１、第２金属板の第１、第２開口周縁部には、第１、第２傾斜面が形成され、第２傾斜面の第１金属板側の下端縁は、第１傾斜面の上端縁よりも第１開口の外部側に位置している。つまり、第２傾斜面の第１金属板側の下端縁は、第１金属板の表面（上面）上に位置している。
このため、文字板の平面視において、第１、２傾斜面及び第１金属板の表面の一部が外部から視認されることとなる。すなわち、文字板の平面視において、第１金属板の表面の一部が外部から視認されることで、第１、第２傾斜面のみが外部から視認される場合と比べて、第１傾斜面から第２傾斜面の範囲の面積をより大きく見せることができる。このため、文字板開口をより大きく見せることができるとともに、外観を向上できる。
なお、第１、第２傾斜面が第１金属板の表面（フラット面）を介して連続する意匠にすることが好ましく、さらに外観を向上できる。
本発明では、第１、第２金属板が多少ずれて積層された場合でも、外部から視認される第１金属板の表面の面積に対して、ずれによって生じる第１金属板の表面の外部から視認される面積の変化量は小さいので、第１金属板の表面の不均一については、外部から目立ちにくく、文字板開口の外観の低下を抑えることができる。
【００１５】
本発明の文字板において、前記金属板は、第１金属板及び第２金属板の２枚で構成され、当該文字板の厚み方向において、前記第１金属板が下層側、前記第２金属板が上層側となるように積層され、前記第１、第２金属板には、前記各開口を区画形成する第１、第２開口周縁部が形成され、前記第１、第２開口周縁部には、当該文字板の表面側に露出する第１、第２傾斜面がそれぞれ形成され、前記第２傾斜面の前記第１金属板側の下端縁は、当該文字板の平面視において、前記第１傾斜面の前記第２金属板側の上端縁と重なっていることが好ましい。
【００１６】
本発明では、第２傾斜面の第１金属板側の下端縁は、文字板の平面視において、第１傾斜面の第２金属板側の上端縁と重なっているため、第１金属板の表面が外部から視認されることがなく、第１、第２傾斜面のみが視認される。そして、第２傾斜面の下端縁が、第１傾斜面の上端縁と平面視で重なっているため、第２傾斜面だけでなく、第１傾斜面のすべてを視認でき、第１，２傾斜面の露出面積を最大にできる。このため、文字板開口を大きく見せることができるとともに、各傾斜面が連続しているように見せることができ、外観を向上できる。
また、各金属板を積層する際に、第２傾斜面の第１金属板側の下端縁と、第１傾斜面の第２金属板側の上端縁とが重なるように、位置決めすればよいので、各金属板の位置決めを容易にできる。
【００１７】
本発明の文字板において、前記第１金属板には、前記第１開口を分割する仕切部が設けられ、前記第１金属板の第１開口周縁部は、前記仕切部を含んで構成されていることが好ましい。
【００１８】
本発明では、第１金属板には開口を分割する仕切部が設けられるので、少なくとも２つの開口が形成されることになる。このため、例えば、２つの開口から十位及び一位の日付を表示することができる。このように、日付の十位の数字と、一位の数字とを別々の開口で表示する場合には、十位用の日車と、一位用の日車とを別々に設けることができる。このため、１つの日車に１〜３１までの数字を表示する場合に比べて、数字を大きく表示でき、日付表示が大きな時計を実現できる。
【００１９】
その上、開口周縁部は仕切部を備えて構成されているので、仕切部にも第１傾斜面が形成されることになる。このため、仕切部で区画された各開口においても、時計の厚み方向の立体感を出すことができ、外観を向上できる。
なお、第２金属板にも同様の仕切部を形成してもよい。第２金属板に仕切部を形成した場合には、第１，２金属板の各仕切部に第１，２傾斜面が形成されるため、各開口の開口周縁部において同じ傾斜面（第１，２傾斜面）が周方向に沿って連続して形成され、各開口の外観を統一したものにできる。
一方、第１金属板のみに仕切部を形成してもよい。第１金属板のみに仕切部を形成した場合には、第２金属板にも仕切部を形成した場合に比べて、仕切部の幅方向の面積を小さくできる。このため、各開口に表示される数字等を近接させることができ、２桁の日表示等は視認しやすくできる。
【００２０】
本発明の時計は、上述した文字板と、前記文字板の裏面側に配置されて計時情報を表示する表示板とを備え、前記文字板には、前記表示板の計時情報を表示させる前記開口が形成されることを特徴とする。
ここで、計時情報としては、年月日、曜日等を例示できる。
本発明では、上述した文字板を備えることで、上述した効果を奏する時計を実現できる。
【図面の簡単な説明】
【００２１】
【図１】本発明の第１実施形態に係る時計の平面図。
【図２】前記第１実施形態に係る時計の概略断面図。
【図３】前記第１実施形態に係る文字板の要部を示す平面図及び概略断面図。
【図４】前記第１実施形態に係る文字板の要部を拡大した拡大図。
【図５】前記第１実施形態の変形例に係る文字板の要部を示す平面図及び概略断面図。
【図６】本発明の第２実施形態に係る文字板の要部を示す平面図及び概略断面図。
【図７】本発明の第３実施形態に係る文字板の要部を示す平面図及び概略断面図。
【図８】前記第３実施形態の第１変形例に係る文字板の要部を示す平面図及び概略断面図。
【図９】前記第３実施形態の第２変形例に係る文字板の要部を示す平面図及び概略断面図。
【図１０】本発明の第１変形例に係る文字板の要部を示す平面図及び概略断面図。
【図１１】本発明の第２変形例に係る日付表示部を示す平面図
【図１２】本発明の第３変形例に係る日付表示部を示す平面図
【図１３】本発明の第４変形例に係る時計の平面図。
【図１４】前記第４変形例に係る文字板の要部を示す平面図及び概略断面図。
【発明を実施するための形態】
【００２２】
［第１実施形態］
以下、本発明に係る第１実施形態を図面に基づいて説明する。
［時計の概略構成］
図１は、本実施形態に係る時計１の平面図であり、図２は、時計１の概略断面図である。
時計１は、図１に示すように、指針１１を駆動させることで時刻を表示する指針式腕時計（アナログ時計）である。この時計１は、図１及び図２に示すように、外装ケース２と、外装ケース２に収納されて、指針１１を駆動する各種構成が組み込まれたムーブメント３と、金属製の文字板４と、日付を表示する日車５とを備えている。
【００２３】
外装ケース２は、図２に示すように、円筒状のケーシング２１と、ケーシング２１の表面側に固定される環状のベゼル２２と、ベゼル２２に保持される風防ガラス２３と、ケーシング２１の裏面側に固定される裏蓋２４とを備える。
ケーシング２１、ベゼル２２、及び裏蓋２４は、例えばステンレス鋼、真鍮、チタン等の金属材で構成されている。
また、ケーシング２１には、リュウズ（巻真）６が挿通される。
【００２４】
ムーブメント３は、図２に示すように、例えば、ケーシング２１の内周側に固定されている。そして、ムーブメント３は、文字板４の裏面側において、ケーシング２１内に収納されている。
ムーブメント３は、ステッピングモーター等を備えて、日車５や指針１１等を駆動する一般的なムーブメントである。
【００２５】
文字板４は、図１に示すように、略円盤状に形成され、外周縁に沿って、時刻を示す１２個の目盛が均等に配置されている。また、文字板４は、図２に示すように、２枚の金属板で構成され、文字板４の厚み方向において、下層側（時計裏面側）に設けられた第１金属板４Ａと、上層側（時計表面側）に設けられた第２金属板４Ｂとが積層されて構成されている。各金属板４Ａ，４Ｂは、厚み寸法が同一に設定されている。
なお、各金属板４Ａ，４Ｂの材質は、黄銅、ステンレス鋼、チタンまたはその合金、アルミニウム等のいずれかで形成される。各金属板４Ａ，４Ｂを同じ材質で形成すると、後述するプレスの面押し加工を同じ条件下で行うことができ、加工作業を容易にできる。また、各金属板４Ａ，４Ｂを異なる材質で形成してもよい。
【００２６】
各金属板４Ａ，４Ｂは、第２金属板４Ｂに形成される複数の突起部４Ｂ１を第１金属板４Ａに形成される複数の凹部４Ａ１に位置決めし、接着剤等で固定される。なお、第１金属板４Ａに突起部、第２金属板４Ｂに凹部が形成される構成であってもよい。さらに、各金属板４Ａ，４Ｂは、位置決め治具にセットされた上で、接着剤で固定されてよく、あるいは溶接により固定され、一体化されてもよい、この他、各金属板４Ａ，４Ｂは、外装ケース２内に順に組み込まれて、上述の第２金属板４Ｂに形成される複数の突起部４Ｂ１を第１金属板４Ａに形成される複数の凹部４Ａ１に挿入して平面的に位置決めされてから、他部材より積層方向に押圧されて保持されてもよい。
文字板４の１２時方向には、図１に示すように、矩形状の日付表示部４０が設けられ、日付表示部４０は、日付の十位の数字が表示される十位日付表示部４１と、日付の一位の数字が表示される一位日付表示部４２とを備えている。また、文字板４の裏面側には、図２に示すように、日車５が設けられている。
なお、文字板４の日付表示部４０の詳細な構成については、後述する。
【００２７】
日車５は、０〜９の一位数字目盛が印字された一位日車５１と、０〜３の十位数字目盛が印字された十位日車５２とを備え、文字板４の裏面側から十位日車５２、一位日車５１の順に配置されている。そして、十位日車５２の十位日付目盛の複数の十位数字のうちいずれか１つが十位日付表示部４１から表示され、一位日車５１の一位日付目盛の複数の一位日付のうちいずれか１つが一位日付表示部４２から表示される。
また、文字板４及び日車５には、時計１の平面視における略中心に、指針１１を駆動する駆動軸３１が挿通する挿通孔４３（図２参照）が形成されている。
【００２８】
［文字板の日付表示部の構成］
図３は、文字板４の要部である日付表示部４０の平面図、及び概略断面図である。
図４は、文字板４の要部を拡大した拡大図である。
日付表示部４０は、日車５の日付を表示するものであり、第１金属板４Ａに形成された矩形状の第１開口４４０を区画形成する第１開口周縁部４４と、第２金属板４Ｂに形成された矩形状の第２開口４５０を区画形成する第２開口周縁部４５とを備える。
第１開口４４０は、仕切部４６により矩形状の十位開口４４Ａ及び一位開口４４Ｂに仕切られている。すなわち、第１開口周縁部４４は、仕切部４６を含んで構成される。これにより、日付表示部４０には、十位日付表示部４１及び一位日付表示部４２が形成される。
【００２９】
第１金属板４Ａに形成される十位開口４４Ａ及び一位開口４４Ｂは、プレス加工により形成される。具体的には、まず、第１金属板４Ａに各開口４４Ａ，４４Ｂ用の下孔をプレスの打ち抜き加工で形成する。そして、前記各開口４４Ａ，４４Ｂ用の下孔に対して面押しパンチによって、各開口４４Ａ，４４Ｂの第１開口周縁部４４に後述する第１傾斜面４４１を面押し加工した後、仕上げ孔抜きパンチにより各開口４４Ａ，４４Ｂの内周面を仕上げることで、第１傾斜面４４１及び第１傾斜面４４１の後述する下端縁４４１Ａから鉛直方向に延出する第１鉛直面４４２が形成される。そして、第１傾斜面４４１は、十位開口４４Ａ及び一位開口４４Ｂの８辺に形成される。
【００３０】
第１傾斜面４４１は、第１開口周縁部４４に形成され、斜面が文字板４の表面側（日車５の日付が表示される側）に向けて露出している。すなわち、第１傾斜面４４１は、文字板４の表面側から裏面側に向かって斜め下方に傾斜している。このため、第１傾斜面４４１は、下方に向かうにしたがって、各開口４４Ａ，４４Ｂの中心側に近づく方向に傾斜している。
第１傾斜面４４１の第２金属板４Ｂ側の端縁（第１傾斜面４４１と第１金属板４Ａの上面４４３とが交差する位置）は、上端縁４４１Ａであり、第１傾斜面４４１の文字板４の裏面側の端縁（第１傾斜面４４１と第１鉛直面４４２とが交差する位置）は、下端縁４４１Ｂである。
【００３１】
第２金属板４Ｂに形成される第２開口４５０についても、第１金属板４Ａと同様にプレス加工により形成され、第２開口４５０の第２開口周縁部４５には、第２傾斜面４５１及び第２鉛直面４５２が形成される。
第２傾斜面４５１は、第１傾斜面４４１と同様に、斜面が文字板４の表面側に向けて露出している。すなわち、第２傾斜面４５１は、文字板４の表面側から裏面側に向かうにしたがって斜め下方に傾斜し、第２開口４５０の中心側に近づく方向に傾斜している。
第２傾斜面４５１の文字板４の表面側の端縁（第２傾斜面４５１と第２金属板４Ｂの上面４５３とが交差する位置）は、上端縁４５１Ａであり、第２傾斜面４５１の第１金属板４Ａ側の端縁（第２傾斜面４５１と第２鉛直面４５２とが交差する位置）は、下端縁４５１Ｂである。
また、第１開口４４０の開口面積は、第２開口４５０の開口面積よりも小さく形成されている。
【００３２】
第２傾斜面４５１の第１金属板４Ａ側の下端縁４５１Ｂは、文字板４の平面視において、第１傾斜面４４１の上端縁４４１Ａと下端縁４４１Ｂとの間に位置し、文字板４の平面視において、第１傾斜面４４１の一部は、第２傾斜面４５１によって隠れている。
文字板４の平面視において、第２傾斜面４５１の第１金属板４Ａ側の下端縁４５１Ｂの位置は、第１傾斜面４４１の第２金属板４Ｂ側の上端縁４４１Ａにより近い位置が好ましい。本実施形態では、具体的に、文字板４の平面視において、第２鉛直面４５２は、第１傾斜面４４１の上端縁４４１Ａから、第１傾斜面４４１の幅寸法Ｄに対して約１／３の位置に位置している。すなわち、文字板４の平面視において、第１開口周縁部４４の第１傾斜面４４１の一部（第１傾斜面４４１の幅寸法Ｄの約２／３）、仕切部４６の第１傾斜面４４１、及び第２傾斜面４５１が日付表示部４０から視認できる。
一般的に、プレスによる面押し加工において、歪みやＲ状に形成されるダレ等の品質面を確保するために、幅寸法Ｄを０．３５ｍｍ程度とするのが面押し加工の限界値である。さらに、文字板４の平面視において、各金属板４Ａ，４Ｂのずれ寸法Ｔが、０．０８ｍｍ程度の位置となるように、各金属板４Ａ，４Ｂが積層される。従って、第２金属板４Ｂの第２鉛直面４５２は、第１傾斜面４４１の上端縁４４１Ａから、第１傾斜面４４１の幅寸法Ｄに対して約１／３の位置に位置することとなる。
【００３３】
ここで、各傾斜面４４１，４５１の高さ寸法Ｈと、各鉛直面４４２，４５２の高さ寸法ｈについて説明する。
各鉛直面４４２，４５２の高さ寸法ｈは、各傾斜面４４１，４５１の高さ寸法Ｈよりも小さく形成されている。本実施形態では、高さ寸法ｈは、高さ寸法Ｈの１／２程度となるように形成されている。高さ寸法ｈは、高さ寸法Ｈの１／２以下であればよく、１／１０以上に設定されていればよく、この範囲内であれば、各傾斜面４４１，４５１を大きく見せることができ、時計１の厚み方向の立体感を出すことができる。これは、高さ寸法ｈが高さ寸法Ｈの１／２よりも大きくなると、各傾斜面４４１，４５１の幅寸法Ｄが小さくなり、各傾斜面４４１，４５１を大きく見せることができず、時計１の厚み方向の立体感を出すことができないためである。なお、高さ寸法ｈが０に設定されていてもよい。
【００３４】
上述した第１実施形態の文字板４、及び文字板４を備えた時計１によれば、以下の効果を奏する。
（１）各傾斜面４４１，４５１をプレスによる面押し加工で形成できるため、切削加工により各傾斜面４４１，４５１を形成する場合に比べて、工数を少なくすることができ、かつ製造コストを削減できる。また、文字板４に直接、各傾斜面４４１，４５１を形成しているので、別部材の窓枠を取り付ける場合に比べて、文字板４の製造工数を少なくできるとともに、時計１の厚さ寸法も小さくでき、外観も向上できる。
（２）第２開口周縁部４４の第２傾斜面４５１の第１金属板４Ａ側の下端縁４５１Ｂは、文字板４の平面視において、第１傾斜面４４１の上端縁４４１Ａと下端縁４４１Ｂとの間に位置している。このため、文字板４の平面視において、第１傾斜面４４１の上端縁４４１Ａ側の一部分は第２傾斜面４５１で覆われて視認できないが、第１傾斜面４４１の残りの部分、及び第２傾斜面４５１が外部から視認されることとなる。すなわち、第２傾斜面４５１に加えて、第１傾斜面４４１の一部が日付表示部４０から視認されるので、傾斜面をより大きく見せることができる。
従って、各金属板４Ａ，４Ｂに形成される各傾斜面４４１，４５１の面積が小さくても、２枚の金属板４Ａ，４Ｂに形成される各傾斜面４４１，４５１全体では、１枚の金属板に傾斜面をプレスによる面押し加工により形成する場合よりも大きな面積とすることができる。さらに、２枚の金属板４Ａ，４Ｂで文字板４を構成するので、時計１の厚み方向の奥行きの立体感が出すことができる。これによれば、傾斜面４４１，４５１の面積を大きく見せつつ、時計１の厚み方向の奥行きの立体感を出すことで、外観を向上でき、文字板４に金属板を用いているので外観をさらに向上できる。
【００３５】
（３）文字板４の平面視において、第１金属板４Ａの傾斜面４４１の一部を第２金属板４Ｂで積極的に隠しているため、第１、第２金属板４Ａ，４Ｂを積層する際に、多少ずれが生じた場合においても、第１金属板４Ａの上面（表面）４４３が外部に露出することを防止できる。このため、第１金属板４Ａの上面４４３が不均一に外部に露出してしまった場合に比べて、外観の低下を抑えることができる。その上、第１、第２金属板４Ａ，４Ｂが多少ずれて積層された場合、日付表示部４０から視認される第１傾斜面４４１の面積が第２開口４５０の周方向に沿って不均一となる程度である。すなわち、各金属板４Ａ，４Ｂが多少ずれて積層された場合でも、日付表示窓４０から既に視認される第１傾斜面４４１の面積に対して、ずれによって生じる第１傾斜面４４１の日付表示部４０から視認される面積の変化量は小さいので、第１傾斜面４４１の不均一については、外部から目立ちにくく、外観の低下を抑制できる。
（４）第１開口４４０には、十位開口４４Ａ及び一位開口４４Ｂが２つ形成されているので、２つの開口４４Ａ，４４Ｂから十位及び一位の日付を表示できる。そして、一位日車５１と、十位日車５２とを別々に設けている。このため、１つの日車のみを用いる場合に比べて、数字を大きく表示でき、日付表示が大きな時計１を実現できる。また、第１開口周縁部４４は仕切部４６を備えて構成されているので、仕切部４６にも第１傾斜面４４１が形成されることになる。このため、仕切部４６で区画された各開口４４Ａ，４４Ｂにおいても、時計１の厚み方向の立体感を出すことができ、外観を向上できる。
（５）第１金属板４Ａのみに仕切部４６を設けることで、第２金属板４Ｂにも仕切部４７を設ける場合と比べて、仕切部４６の幅方向の面積を小さくでき、各数字を近接させた状態で視認することができ、日表示をより視認しやすくできる。
【００３６】
［第１実施形態の変形例］
図４は、第１実施形態の変形例に係る文字板４の要部を示す平面図及び概略断面図である。
前記第１実施形態では、第１金属板４Ａのみに仕切部４６を形成して、第１開口４４０を仕切っていたが、この変形例として、第１金属板４Ａに加えて、第２金属板４Ｂにも仕切部４７を形成する構成でもよい。
【００３７】
第２金属板４Ｂの第２開口４５０は、仕切部４７によって区画されて、矩形状の十位開口４５Ａ及び一位開口４５Ｂに仕切られている。すなわち、第２開口周縁部４５は、仕切部４７を含んで構成される。
仕切部４７は、前記第１実施形態の仕切部４６と同一形状となるように形成され、第２傾斜面４５１が形成される。
【００３８】
本変形例での第１開口４４０を仕切る仕切部４６Ａは、図４に示すように、前記第１実施形態の仕切部４６の幅方向の面積よりも大きく形成されている。
仕切部４６Ａと仕切部４７とを積層する際、仕切部４７の第２傾斜面４５１の仕切部４６Ａ側の下端縁４５１Ｂは、文字板４の平面視において、仕切部４６Ａの第１傾斜面４４１の上端縁４４１Ａと下端縁４４１Ｂとの間に位置している。これにより、第１開口周縁部４４の第１傾斜面４４１と同様に、文字板４の平面視において、仕切部４６Ａの第１傾斜面４４１の一部が日付表示部４０から視認できる。
この構成によれば、各開口４４０，４５０の開口周縁部４４，４５において同じ傾斜面である第１、２傾斜面４４１，４５１が周方向に沿って連続して形成され、各開口４４０，４５０の外観を統一したものにできる。さらに、時計１の厚み方向の立体感をより出すことができる。
【００３９】
［第２実施形態］
図５は、第２実施形態に係る文字板４の要部を示す平面図及び概略断面図である。図の説明にあたって、前記第１実施形態と同一構成要素については、同一符号を付し、その説明を省略する。なお、後述する実施形態においても同様である。
前記第１実施形態では、第２傾斜面４５１の第１金属板４Ａ側の下端縁４５１Ｂは、文字板４の平面視において、第１開口周縁部４４の第１傾斜面４４１の上端縁４４１Ａと下端縁４４１Ｂとの間に位置していたが、本実施形態では、第２傾斜面４５１の第１金属板４Ａ側の下端縁４５１Ｂは、文字板４の平面視において、第１傾斜面４４１の第２金属板４Ｂ側の上端縁４４１Ａよりも第１開口４４０の外部側に位置する構成となっている点で相違する。
【００４０】
第２傾斜面４５１の第１金属板４Ａ側の下端縁４５１Ｂは、第１金属板４Ａの上面４４３上に位置し、第２鉛直面４５２は、第１傾斜面４４１の上端縁４４１Ａよりも第１開口４４０の外側に位置している。すなわち、文字板４の平面視において、第１傾斜面４４１、第１金属板４Ａの上面４４３の一部、及び第２傾斜面４５１が日付表示部４０から視認される。本実施形態では、第１傾斜面４４１の延長上に第２傾斜面４５１が位置するように、第２傾斜面４５１の第１金属板４Ａ側の下端縁４５１Ｂの位置を決めている。
なお、本実施形態でも前記第１実施形態の変形例と同様に、第２金属板４Ｂにも仕切部４７を形成してもよい。
【００４１】
上述した第２実施形態の文字板４、及び文字板４を備えた時計１によれば、前記第１実施形態の効果（１）、（４）、（５）の他に、以下の効果を奏する。
本実施形態では、第１、第２開口４４０，４５０には、第１、第２傾斜面４４１，４５１が形成され、第２傾斜面４５１の第１金属板４Ａ側の下端縁４５１Ｂは、第１金属板４Ａの上面４４３上に位置している。このため、文字板４の平面視において、第１、２傾斜面４４１，４５１及び第１金属板４Ａの上面４４３の一部が外部から視認されることとなる。すなわち、文字板４の平面視において、第１金属板４Ａの上面４４３の一部が外部から視認されることで、第１、第２傾斜面４４１，４５１のみが外部から視認される場合と比べて、第１傾斜面４４１から第２傾斜面４５１の範囲の面積をより大きく見せることができる。このため、文字板４の開口４４０，４５０をより大きく見せることができるとともに、第１，２傾斜面４４１，４５１が第１金属板４Ａの上面４４３を介して連続する意匠にでき、外観を向上できる。
また、本実施形態では、第１、第２金属板４Ａ，４Ｂが多少ずれて積層された場合でも、日付表示窓４０から視認される第１金属板４Ａの上面４４３の面積に対して、ずれによって生じる第１金属板の上面４４３の外部から視認される面積の変化量は小さいので、第１金属板４Ａの上面４４３の不均一については、外部から目立ちにくく、外観の低下を抑えることができる。
【００４２】
［第３実施形態］
図６は、第３実施形態に係る文字板４の要部を示す平面図及び概略断面図である。
前記第１実施形態では、第２傾斜面４５１の第１金属板４Ａ側の下端縁４５１Ｂは、文字板４の平面視において、第１開口周縁部４４の第１傾斜面４４１の上端縁４４１Ａと下端縁４４１Ｂとの間に位置していたが、本実施形態では、第２傾斜面４５１の第１金属板４Ａ側の下端縁４５１Ｂは、第１傾斜面４４１の第２金属板４Ｂ側の上端縁４４１Ａと重なっている点で相違する。
【００４３】
第２傾斜面４５１の第１金属板４Ａ側の下端縁４５１Ｂは、文字板４の平面視において、第１傾斜面４４１の第２金属板４Ｂ側の上端縁４４１Ａと重なり、第２鉛直面４５２の端縁と第１傾斜面４４１の上端縁４４１Ａとが重なっている。すなわち、文字板４の平面視において、第１傾斜面４４１及び第２傾斜面４５１が日付表示部４０から視認される。
なお、本実施形態でも前記第１実施形態の変形例と同様に、第２金属板４Ｂにも仕切部４７を形成してもよい。
【００４４】
上述した第３実施形態の文字板４、及び文字板４を備えた時計１によれば、前記第１実施形態の効果（１）、（４）、（５）の他に、以下の効果を奏する。
本実施形態では、第２傾斜面４５１の第１金属板４Ａ側の下端縁４５１Ｂは、文字板の平面視において、第１傾斜面４４１の第２金属板４Ｂ側の上端縁４４１Ａと重なっているため、第１金属板４Ａの上面４４３が外部から視認されることがなく、第１、第２傾斜面４４１，４５１のみが視認される。そして、第２傾斜面４５１の下端縁４５１Ｂが、第１傾斜面４４１の上端縁４４１Ａと平面視で重なっているため、第２傾斜面４５１だけでなく、第１傾斜面４４１のすべてを視認でき、第１，２傾斜面４４１，４５１の露出面積を最大にできる。このため、文字板４の開口４４０，４５０を大きく見せることができるとともに、各傾斜面４４１，４５１が連続しているように見せることができ、外観を向上できる。
また、各金属板４Ａ，４Ｂを積層する際に、第２傾斜面４５１の第１金属板４Ａ側の下端縁４５１Ｂと、第１傾斜面４４１の第２金属板４Ｂ側の上端縁４４１Ａとが重なるように、位置決めすればよいので、各金属板４Ａ，４Ｂの位置決めを容易にできる。
【００４５】
［第３実施形態の第１変形例］
図７は、第３実施形態の第１変形例に係る文字板４の要部を示す平面図及び概略断面図である。
前記第３実施形態では、各金属板４Ａ，４Ｂの厚み寸法は同一に設定されていたが、文字板４の厚み寸法は前記第３実施形態と同一寸法で、第１金属板４Ａの厚み寸法を第２金属板４Ｂの厚み寸法よりも大きく設定してもよい。
なお、各金属板４Ａ，４Ｂの材質を異ならせて形成してもよい。具体的には、第１傾斜面４４１の面積が大きい第１金属板４Ａに柔らかい材質のアルミニウム等を用い、第２傾斜面４５１の面積が小さい第２金属板４Ｂに硬い材質の黄銅やステンレス鋼等を用いてもよい。面積の大きい第１傾斜面４４１を形成する際には、プレスの面押し量が多くなるが、第１金属板４Ａには、アルミニウム等の柔らかい材質を用いているので、プレスの面押し加工がし易く、かつ表面が平滑な傾斜面を形成できる。一方、面積の小さい第２傾斜面４５１を形成する際には、プレスの面押し量が少なくてよく、第２金属板４Ｂに黄銅やステンレス鋼等の硬い材質を用いても、傾斜面を容易に形成できる。また、第２金属板４Ｂは第１金属板４Ａよりも硬い材質であるので、柔らかい材質の第１金属板４Ａの補強板の役割も果たすことができ、第１、第２金属板４Ａ，４Ｂの両方を柔らかい金属で形成する場合に比べて、機械的強度を高めることができる。
【００４６】
本変形例によれば、文字板４の平面視において、第１金属板４Ａの第１傾斜面４４１の面積が第２金属板４Ｂの第２傾斜面４５１の面積よりも大きくなり、傾斜面の面積を大きく見せることができる。さらに、２枚の金属板で構成されるので、時計１の厚み方向の立体感を大きくすることができる。従って、傾斜面４４１，４５１の面積を大きく見せつつ、時計１の厚み方向の奥行きの立体感を出すことでより外観を向上できる。
また、第１金属板４Ａの第１傾斜面４４１の面積を大きくすることで生じる第１傾斜面４４１の上端縁４４１Ａの歪み及びＲ状に形成されたダレを第２金属板４Ｂで隠すことができ、外観を向上できる。
なお、本変形例は第３実施形態に限定されず、第１実施形態に適用してもよい。
【００４７】
［第３実施形態の第２変形例］
図８は、第３実施形態の第２変形例に係る文字板４の要部を示す平面図及び概略断面図である。
前記第３実施形態では、各金属板４Ａ，４Ｂの第１、第２傾斜面４４１，４５１の傾斜角度（各金属板４Ａ，４Ｂの裏面と、傾斜面とがなす角度）は同一であったが、第１傾斜面４４１の傾斜角度を第２傾斜面４５１の傾斜角度より小さくしてもよい。
本変形例においても、前記第３実施形態の第１変形例で記載した各金属板４Ａ，４Ｂの材質を異ならせる構成としてもよい。
これによれば、第１傾斜面４４１の傾斜角度が第２傾斜面４５１の傾斜角度より鋭角であるので、文字板４の平面視において、第１傾斜面４４１の面積を大きく見せることができる。さらに、２枚の金属板で構成されるので、時計１の厚み方向の立体感を出すことができる。従って、傾斜面４４１，４５１の面積を大きく見せつつ、時計１の厚み方向の奥行きの立体感を出すことで外観をより向上できる。
また、第１金属板４Ａの第１傾斜面４４１の傾斜角度を小さくすることで生じる第１傾斜面４４１の上端縁４４１Ａの歪みやＲ状に形成されたダレを第２金属板４Ｂで隠すことができ、外観を向上できる。
なお、本変形例においても、第３実施形態に限定されず、第１実施形態に適用してもよい。
上述した前記第３実施形態の第１、２変形例において、第１傾斜面４４１の上端縁４４１Ａに生じる歪みやＲ状に形成されたダレが外部から目立ちにくい程度であれば、第１傾斜面４４１の上端縁４４１Ａを第２金属板４Ｂで隠す必要がないため、この場合には、第２実施形態に適用してもよい。
【００４８】
［実施形態の変形例］
なお、本発明は前述の実施形態に限定されるものではなく、本発明の目的を達成できる範囲での変形、改良等は本発明に含まれるものである。
図９は、本発明の第１変形例に係る文字板４の要部を示す平面図及び概略断面図である。
本変形例では、第２開口４５０が４つの円弧によって形成されている。本変形例は、前記第２実施形態と同様に、第２開口周縁部４５の第２傾斜面４５１の第１金属板４Ａ側の下端縁４５１Ｂは、第１金属板４Ａの上面４４３上に位置している。これにより、文字板４の平面視において、第１傾斜面４４１、第１金属板４Ａの上面４４３の一部、及び第２傾斜面４５１が日付表示部４０から視認される。そして、日付表示部４０から視認される第１金属板４Ａの上面４４３の一部は、文字板４の平面視において、円弧と直線とによって囲まれた形状となっており、前記第２実施形態において、日付表示部４０から視認される上面４４３とは異なる形状となっている。
【００４９】
ところで、各金属板４Ａ，４Ｂを積層する際にずれが生じると、第１金属板４Ａの上面４４３の一部は、第２金属板４Ｂの第２開口４５０の第２開口周縁部４５から周方向に沿って不均一に露出してしまい、外観上、好ましくない。
しかしながら、本変形例の構成によれば、第２開口４５０が４つの円弧によって形成されるので、各金属板４Ａ，４Ｂを積層する際にずれが生じた場合でも、文字板４の平面視において、第２開口４５０の第２開口周縁部４５から周方向に沿って露出する第１金属板４Ａの上面４４３は、円弧と直線とによって囲まれる形状となるので、この露出部分の不均一が目立ちにくく、外観の低下を抑制できる。
なお、本変形例では、第２開口４５０が４つの円弧によって形成されていたが、この構成に限定されるものではなく、各金属板４Ａ，４Ｂを積層する際にずれが生じた場合でも、文字板４の平面視において、第２開口４５０の第２開口周縁部４５から周方向に沿って露出する第１金属板４Ａの上面４４３の不均一が目立ちにくく、外観の低下を抑制できる目的を達成できる範囲で変形、改良等は本発明に含まれるものである。例えば、第２開口周縁部４５の周縁方向と、第１開口周縁部４４の周縁方向とが平行でない形状を例示できる。
また、本変形例においても、前記第１実施形態の変形例と同様に、第２金属板４Ｂにも仕切部４７を形成してもよい。
【００５０】
図１０は、本発明の第２変形例に係る日付表示部４０を示す平面図である。
本変形例では、各開口周縁部４４，４５に形成される第１、第２傾斜面４４１，４５１の下辺側の幅寸法Ｌ２が上辺側の幅寸法Ｌ１よりも小さく形成されている。
このような構成によれば、時計１の様々なバリエーションを増やすことができる。
なお、本変形例においても、前記第１実施形態の変形例と同様に、第２金属板４Ｂにも仕切部４７を形成してもよい。
【００５１】
図１１は、本発明の第３変形例に係る日付表示部４０を示す平面図である。
本変形例では、第１金属板４Ａ及び日車５の色を同色とし、第２金属板４Ｂを第１金属板４Ａ及び日車５と異色とするものである。
一般的に、日表示をより大きく見せ、視認性を向上させたい時計において、日車のサイズをそのままにして、文字板の開口を大きくすると、当該開口から表示したい文字、及びこの表示したい文字と隣り合う文字が見えてしまうおそれがある。
この構成によれば、第１金属板４Ａ及び日車５の色を同色としているので、隣り合う文字が見えることなく、日付表示部４０を大きく見せることができる。
この構成によれば、文字板４の上層側の第２金属板４Ｂのみが異色となるため、文字板４の平面視において、第２金属板４Ｂのみをフレームのように見せることができる。
なお、第２金属板４Ｂと日車５とを同色とし、第１金属板４Ａを第２金属板４Ｂ及び日車５と異色としてもよい。この構成によれば、文字板４の下層側の第１金属板４Ａのみが異色となるため、文字板４の平面視において、第１金属板４Ａをフレームのように見せることができる。
【００５２】
図１２は、本発明の第４変形例に係る時計１の平面図である。図１３（Ａ）は、第４変形例に係る文字板４の日付表示部４０の平面図及び概略断面図であり、図１３（Ｂ）は、第４変形例に係る曜日扇形表示部（以下、レトロ表示部）４８の断面図である。
本変形例の時計１の文字板４には、図１２に示すように、日付表示部４０の他に、６時方向の位置に例えば、曜日を指針表示するレトロ表示部４８が設けられている。このレトロ表示部４８は、円弧角が略１２０度の扇形状に形成され、曜表示を行う曜針４８１を備えるほか、扇形の周方向に沿って曜日を表示する目盛を備えている。
なお、本変形例では、レトロ表示部４８は、曜表示を行うものであるが、年月日などの暦表示、または、月齢の表示、さらに、時、分、秒などの時刻表示などにも適用できる。また、円弧角も１２０度に限定されず、任意の角度であってもよい。
【００５３】
文字板４は、図１３（Ａ）に示すように、裏面側から順に、第１、第２、第３金属板４Ａ，４Ｂ，４Ｃを積層することにより、３枚で構成される。
本変形例では、図１２に示すように、第１金属板４Ａには、前記各実施形態と同様に、矩形状の第１開口４４０が形成されているのみであるが、第２、第３金属板４Ｂ，４Ｃには、矩形状の第２、第３開口４５０，４９０に加えて、６時方向の位置に円弧角が略１２０度の扇形状の第２、第３開口４５０Ａ，４９０Ａが形成される。
【００５４】
第３開口４９０，４９０Ａの第３開口周縁部４９には、図１３に示すように、第１、第２開口周縁部４４，４５と同様に、斜面が文字板４の表面側に向けて露出している第３傾斜面４９１が形成される。そして、１２時方向の日付表示部４０においては、図１３（Ａ）に示すように、第２傾斜面４５１の第１金属板４Ａ側の下端縁４５１Ｂは、第１傾斜面４４１の第２金属板４Ｂ側の上端縁４４１Ａと重なり、第３傾斜面４９１の第２金属板４Ｂ側の下端縁４９１Ｂは、第２傾斜面４５１の第３金属板４Ｃ側の上端縁４５１Ａと重なっている。また、６時方向のレトロ表示部４８においては、図１３（Ｂ）に示すように、第３傾斜面４９１の第２金属板４Ｂ側の下端縁４９１Ｂは、第２傾斜面４５１の第３金属板４Ｃ側の上端縁４５１Ａと重なっている。
レトロ表示部４８の曜針４８１を駆動する駆動軸３２は、図１３（Ｂ）に示すように、第１金属板４Ａに形成される挿通孔４３Ａに回動自在に挿通されている。すなわち、レトロ表示部４８から第１金属板４Ａの一部が視認され、第２、第３傾斜面４５１，４９１が視認される。
なお、本変形例においても、前記第１実施形態の変形例と同様に、第２金属板４Ｂにも仕切部４７を形成してもよい。
【００５５】
本変形例によれば、文字板４を３枚構成にしたことで、日付表示部４０に加え、曜針４８１を第１金属板４Ａに挿通させたレトロ表示部４８を設けることができ、表示部のバリエーションを増加できる。この場合でも、文字板４の平面視において、日付表示部４０では、第１〜第３傾斜面４４１，４５１，４９１を視認でき、文字板４を２枚で構成した場合以上に、時計１の厚み方向の立体感を出すことができ、外観を向上できる。また、レトロ表示部４８では、第２、第３傾斜面４５１，４９１を視認でき、時計１の厚み方向の立体感を出すことができ、外観を向上できる。
【００５６】
前記各実施形態では、時計１は腕に装着可能な腕時計であったが、これに限定されることなく、例えば、携帯可能な懐中時計等のいかなる携帯式時計であってもよい。また、携帯式時計に限らず、置き時計などの時計であってもよい。
文字板４の各開口４４０,４５０,４５０Ａ,４９０,４９０Ａに表示される表示板は、日車、曜車、指針等の他、液晶表示装置、有機ＥＬ表示装置等の電子光学的表示装置であってもよい。
【００５７】
前記各実施形態では、仕切部４６を形成していたが、仕切部４６を形成しない構成であってもよく、文字板４の開口を一つとしてもよい。この場合には、一つの日車での日表示、曜表示、２４時間表示等に適用してもよい。
前記各実施形態では、各金属板４Ａ，４Ｂを突起部４Ｂ１及び凹部４Ａ１で位置決めし、接着剤等で固定していたが、かしめ等によって固定してもよい。また、各金属板４Ａ，４Ｂの側面に突起を形成し、ケーシング２１の内面に切欠等の凹部を形成することで、位置決めしてもよい。これによれば、文字板４の１２時位置を容易に位置決めできる。
【符号の説明】
【００５８】
１…時計、４…文字板、４Ａ…第１金属板（金属板）、４Ｂ…第２金属板（金属板）、４Ｃ…第３金属板（金属板）、５…日車（表示板）、４４…第１開口周縁部（開口周縁部）、４５…第２開口周縁部（開口周縁部）、４６，４６Ａ…仕切部、４９…第３開口周縁部（開口周縁部）、４４０…第１開口、４４１…第１傾斜面（傾斜面）、４４１Ａ，４５１Ａ，４９１Ａ…上端縁、４４１Ｂ，４５１Ｂ，４９１Ｂ…下端縁、４５０，４５０Ａ…第２開口、４５１…第２傾斜面（傾斜面）、４９０，４９０Ａ…第３開口、４９１…第３傾斜面（傾斜面）。
【図１】
2011137686.tif 000003
【図２】
2011137686.tif 000004
【図３】
2011137686.tif 000005
【図４】
2011137686.tif 000006
【図５】
2011137686.tif 000007
【図６】
2011137686.tif 000008
【図７】
2011137686.tif 000009
【図８】
2011137686.tif 000010
【図９】
2011137686.tif 000011
【図１０】
2011137686.tif 000012
【図１１】
2011137686.tif 000013
【図１２】
2011137686.tif 000014
【図１３】
2011137686.tif 000015
【図１４】
2011137686.tif 000016